(57)【要約】    【課題】同一の子機にて呼出操作を行った人物が患者又は病院従事者であるかを判別して、判別結果に対応させて呼出報知を行う。    【解決手段】送信機２ａ、２ｂ、・・・２ｎから無線通信で伝送されてくる識別情報の子機１ｂ、１ｂ、・・・１ｎの受信部１００での受信の有無をもとに、子機にて呼出操作を行った人物が患者又は送信機を携行している病院従事者であるのかを制御機８の制御部８０２にて判別するとともに、受信された識別情報をもとに制御部８０１、８０２にて病院従事者を特定し、これらの判別結果に対応させた親機４ａ、４ｂ、・・・４ｎや携帯端末５ａ、５ｂ、・・・５ｎにて呼出報知を行う。  【選択図】図１
2009055274.tif 000002
【特許請求の範囲】
【請求項１】
患者が看護師を呼び出すための子機（１ａ、１ｂ、・・・１ｎ）と、病院従事者の識別情報が付加された送信機（２ａ、２ｂ、・・・２ｎ）と、前記子機からの呼び出しが報知される親機（４ａ、４ｂ、・・・４ｎ）と、前記子機及び前記親機をそれぞれ制御するための制御機（８）とを設け、
前記子機には、前記送信機から無線通信で伝送されてくる前記識別情報を受信するための受信部（１００）を備え、
前記制御機には、前記子機の前記受信部にて受信された前記識別情報をもとに前記病院従事者を特定し、呼出相手先の前記親機を選択して前記特定された病院従事者からの呼出報知を行うための制御部（８０１、８０２）を備えたことを特徴とするナースコールシステム。
【請求項２】
患者が看護師を呼び出すための子機（１ａ、１ｂ、・・・１ｎ）と、病院従事者の識別情報が付加された送信機（２ａ、２ｂ、・・・２ｎ）と、前記子機からの呼び出しが報知される親機（４ａ、４ｂ、・・・４ｎ）及び前記病院従事者により携行される携帯端末（５ａ、５ｂ・・・５ｎ）と、前記子機、前記親機及び前記携帯端末をそれぞれ制御するための制御機（８）とを設け、
前記子機には、前記送信機から無線通信で伝送されてくる前記識別情報を受信するための受信部（１００）を備え、
前記制御機には、前記子機の前記受信部にて受信された前記識別情報をもとに前記病院従事者を特定し、呼出相手先の前記携帯端末を選択して前記特定された病院従事者からの呼出報知を行うための制御部（８０１、８０２）を備えたことを特徴とするナースコールシステム。
【発明の詳細な説明】
【技術分野】
【０００１】
本発明は、病院や福祉・介護施設に設置されるナースコールシステムに係り、特に、患者がナースセンターに居る看護師や担当の看護師を呼び出すために使用する子機と同一の当該子機を使用して、病院従事者が詰め所や他の病院従事者に呼び出しを行うことができるナースコールシステムに関する。
【背景技術】
【０００２】
従来から、病院や福祉・介護施設に設置されるナースコールシステムとして、患者又は被介護者が、握り押しボタン又はハンド型子機の押しボタンを押すことでナースコール呼び出しを行うことができるナースコールシステムが開示されている（例えば、特許文献１を参照。）。
【０００３】
このナースコールシステムによれば、ナースステーション（福祉・介護施設ではスタッフステーション）だけでなく廊下においてもナースコール呼び出しが判り、看護師又は介護士は呼出応答が素早く出来るので、患者又は被介護者にストレスを感じさせることはない。また、看護師又は介護士は、ナースコール呼び出しに対して、ナースステーション（福祉・介護施設ではスタッフステーション）に戻らずに、直接病室（福祉・介護施設では居室）へ行くことが出来るので、その病室(居室)に近い看護師又は介護士が対応すれば、動線が短くて済む。
【０００４】
【特許文献１】特開２００６−９５０３９号公報
【発明の開示】
【発明が解決しようとする課題】
【０００５】
背景技術に記載した特許文献１のナースコールシステムにおいて、握り押しボタン又はハンド型子機の押しボタンを使用する人物は、ナースコール呼び出しを行う患者又は被介護者やスタッフコール呼び出しを行う看護師又は介護士であり、その他の人物として、例えば、医師、臨床師、レントゲン技師、配膳係、清掃係等の病院従事者（福祉・介護施設では施設従事者）が詰め所等に呼び出しを行うにあたっては、別途の通信設備が必要とされ施工コストが増大となる難点があった。
【０００６】
本発明は、この難点を解消するためになされたもので、同一の子機にて呼出操作を行った人物が患者又は病院従事者であるかを判別して、判別結果に対応させて呼出報知を行うことができるナースコールシステムを提供することを目的としている。
【課題を解決するための手段】
【０００７】
前述の目的を達成するため、本発明の第１の態様であるナースコールシステムは、患者が看護師を呼び出すための子機と、病院従事者の識別情報が付加された送信機と、子機からの呼び出しが報知される親機と、子機及び親機をそれぞれ制御するための制御機とを設けたものである。子機には、送信機から無線通信で伝送されてくる識別情報を受信するための受信部を備えている。制御機には、子機の受信部にて受信された識別情報をもとに病院従事者を特定し、呼出相手先の親機を選択して特定された病院従事者からの呼出報知を行うための制御部を備えている。
【０００８】
また、本発明の第２の態様であるナースコールシステムは、患者が看護師を呼び出すための子機と、病院従事者の識別情報が付加された送信機と、子機からの呼び出しが報知される親機及び病院従事者により携行される携帯端末と、子機、親機及び携帯端末をそれぞれ制御するための制御機とを設けたものである。子機には、送信機から無線通信で伝送されてくる識別情報を受信するための受信部を備えている。制御機には、子機の受信部にて受信された識別情報をもとに病院従事者を特定し、呼出相手先の携帯端末を選択して特定された病院従事者からの呼出報知を行うための制御部を備えている。
【発明の効果】
【０００９】
本発明のナースコールシステムによれば、送信機から無線通信で伝送されてくる識別情報の子機の受信部での受信の有無をもとに、子機にて呼出操作を行った人物が患者又は送信機を携行している病院従事者であるのかを制御機の制御部にて判別するとともに、受信された識別情報をもとに制御部にて病院従事者を特定し、これらの判別結果に対応させた親機や携帯端末にて呼出報知を行うことができる。これにより、病院従事者は、患者がナースセンターに居る看護師や担当の看護師を呼び出すために使用する子機と同一の当該子機を使用して、詰め所等や他の病院従事者に対して呼び出しを行うことができる。
【発明を実施するための最良の形態】
【００１０】
以下、本発明のナースコールを適用した最良の実施の形態例について、図面を参照して説明する。
【００１１】
図１は、本発明の実施例によるナースコールシステムの構成を示すシステム説明図である。このナースコールシステムは、病院や福祉・介護施設に設置されるものであり、複数の病室（但し、福祉・介護施設においては、居室とする。）における各病床、各トイレ、各風呂にそれぞれ設置され、患者が看護師、例えば、ナースセンター（但し、福祉・介護施設においては、スタッフセンターとする。）に居る看護師や病院内（福祉・介護施設内）を巡回中の病院従事者（但し、福祉・介護施設においては、施設従事者とする。）のうち担当の看護師を呼び出して通話を成立させるとともに、病院従事者が詰め所等の所定の場所に居る他の病院従事者や病院内を巡回中の病院従事者のうち特定の病院従事者を呼び出して通話を成立させるための子機１ａ、１ｂ、・・・１ｎと、病院従事者により携行される送信機２ａ、２ｂ、・・・２ｎと、患者又は病院従事者からの呼び出しが報知される中継器、ここでは、病室の出入口の周囲近傍に設置される廊下灯３と、ナースセンターや病院従事者の詰め所等にそれぞれ設置され、患者又は病院従事者からの呼び出しを報知し、この呼び出しに応答した看護師又は病院従事者が通話を成立させるための親機４ａ、４ｂ、・・・４ｎと、病院内を巡回中の病院従事者により携行され、患者又は病院従事者からの呼び出しを報知し、この呼び出しに応答した病院従事者が通話を成立させるための例えば、ＰＨＳ端末（医療用端末）にて構成される携帯端末５ａ、５ｂ、・・・５ｎと、ナースセンターの周囲近傍より一定の間隔で配置され、携帯端末５ａ、５ｂ、・・・５ｎとの間で無線通信を行うための無線基地局６ａ、６ｂ、・・・６ｎと、ナースセンター又は病院内の共用部に設置され、無線線基地局６ａ、６ｂ、・・・６ｎを制御して携帯端末５ａ、５ｂ、・・・５ｎの位置情報を検出するための無線通信局７と、ナースセンター又は病院内の共用部に設置され、廊下灯３、親機４ａ、４ｂ、・・・４ｎ及び（無線通信局７、無線基地局６ａ、６ｂ、・・・６ｎを経由して）携帯端末５ａ、５ｂ、・・・５ｎをそれぞれ制御するための制御機８とが設けられている。
【００１２】
なお、病院従事者とは、看護師のみならず医師、臨床師、レントゲン技師、配膳係、清掃係等を含むものである。また、子機１ａ、１ｂ、・・・１ｎの設置場所としては、前述のような病室における各病床、各トイレ、各風呂に限定されるものではなく、例えば、病院内の通路や備品庫等、病院従事者が立ち寄る主要な場所に設置することもできる。
【００１３】
子機１ａ、１ｂ、・・・１ｎはそれぞれ、子機ラインＬ1を経由して廊下灯３にバス接続されている。また、廊下灯３は、廊下灯ラインＬ2を経由して制御機８に接続されている。また、親機４ａ、４ｂ、・・・４ｎはそれぞれ、親機ラインＬ3を経由して制御機８にバス接続されている。また、無線基地局６ａ、６ｂ、・・・６ｎはそれぞれ、基地局ラインＬ4を経由して無線通信局７にバス接続されている。さらに、無線通信局７は、通信局ラインＬ5を経由して制御機８に接続されている。なお、子機１ａ、１ｂ、・・・１ｎ及び廊下灯３の間の接続の態様、親機４ａ、４ｂ、・・・４ｎ及び制御機８の間の接続の態様、無線基地局６ａ、６ｂ、・・・６ｎ及び無線通信局７の間の接続の態様はそれぞれ、図示のような当該各ラインを経由したバス接続に限定されるものではなく、例えば、個別の当該ラインを経由して接続することもできる。
【００１４】
子機１ａ、１ｂ、・・・１ｎはそれぞれ同様な構成で個別の子機番号が割り当てられるものであり、送信機２ａ、２ｂ、・・・２ｎから無線通信で伝送されてくる病院従事者を識別するための識別情報を受信する受信部１００と、患者又は病院従事者が呼出操作を行うための呼出ボタン１０１と、患者又は病院従事者が呼出相手先である看護師又は病院従事者との間で相互通話を成立させるための音声（音声信号）を入出力する子機マイク１０２及び子機スピーカ１０３とを備えている。なお、呼出ボタン１０１は、ナースコール子機１ａ、１ｂ、・・・１ｎの本体に対して着脱自在となるように接続させた図示のような態様に限定されるものではなく、例えば、呼出ボタン１０１が有する操作機能を本体自体に備えることもできる。
【００１５】
送信機２ａ、２ｂ、・・・２ｎはそれぞれ同様な構成で個別の送信機番号が割り当てられるものであり、当該送信機を携行する病院従事者の識別情報が予め付加されている。ここで、識別情報とは、例えば、ＲＦＩＤが好適とされ、適宜に書き換え可能が性質を有している。
【００１６】
廊下灯３は、患者又は病院従事者からの呼び出しを検出して、呼出元の患者又は病院従事者と呼出相手先の看護師又は病院従事者との間で成立される相互通話の信号伝送路、すなわち、通話路を形成するものである。また、廊下灯３には、患者又は病院従事者からの呼び出しがあった旨を、病室の出入口の近傍や廊下先に居る病院従事者に視覚的手段を通じて報知するための呼出報知機能を有している。なお、廊下灯３は、制御機８に対してバス接続することで複数接続が可能であるため、病院や福祉・介護施設の施設規模に応じて設置台数を増やすことができる。
【００１７】
親機４ａ、４ｂ、・・・４ｎはそれぞれ同様な構成で個別の親機番号が割り当てられるものであり、患者又は病院従事者からの呼び出しがあった旨を、ナースセンターや詰め所等に居る看護師や病院従事者に視覚的手段を通じて報知するための呼出報知機能を有する親機表示部４００と、患者又は病院従事者からの呼び出しがあった旨を、ナースセンターや詰め所等に居る看護師や病院従事者に聴覚的手段を通じて報知するための呼出報知機能を有する親機スピーカ４０１と、患者又は病院従事者からの呼び出しを確認した看護師又は病院従事者が応答し、相互通話を成立させるための音声（音声信号）を入出力するハンドセット４０２とが備えられている。
【００１８】
携帯端末５ａ、５ｂ、・・・５ｎはそれぞれ同様な構成で個別の端末番号が割り当てられるものであり、無線基地局６ａ、６ｂ、・・・６ｂの後述する基地局アンテナ６００との間で無線通信を行うための端末アンテナ５００と、患者又は病院従事者からの呼び出しがあった旨を、当該携帯端末を携行している看護師や病院従事者に視覚的手段を通じて報知するための呼出報知機能を有する端末表示部５０１と、患者又は病院従事者からの呼び出しがあった旨を、当該携帯端末を携行している看護師や病院従事者に聴覚的手段を通じて報知するための呼出報知機能を有する端末スピーカ５０２と、患者又は病院従事者からの呼び出しを確認した看護師又は病院従事者が応答するための通話ボタン５０３と、端末スピーカ５０２と併せて使用され、看護師又は病院従事者が相互通話を成立させるための音声（音声信号）を入出力する端末マイク５０４とが備えられている。なお、携帯端末５ａ、５ｂ、・・・５ｎはそれぞれ、無線基地局６ａ、６ｂ、・・・６ｎのうち周囲近傍の当該無線基地局に対して、端末アンテナ５００から定期的に自端末の無線信号を送信している。また、携帯端末５ａ、５ｂ、・・・５ｎはそれぞれ、患者又は病院従事者からの呼び出しがあった旨を、振動による触覚的手段を通じて報知することもできる。
【００１９】
無線基地局６ａ、６ｂ、・・・６ｎはそれぞれ同様な構成で個別の基地局番号が割り当てられるものであり、携帯端末５ａ、５ｂ、・・・５ｎの端末アンテナ５００との間で無線通信を行うための基地局アンテナ６００を備えている。
【００２０】
無線通信局７は、無線基地局６ａ、６ｂ、・・・６ｎを回線制御するとともに、無線基地局６ａ、６ｂ、・・・６ｎの基地局アンテナ６００にてそれぞれ受信される携帯端末５ａ、５ｂ、・・・５ｎの自端末無線信号をもとに、当該各携帯端末の位置情報を検出することができる。なお、無線通信局７は、携帯端末５ａ、５ｂ、・・・５ｎから定期的に送信されてくる自端末無線信号を受信した無線基地局６ａ、６ｂ、・・・６ｎに対して、種々の信号を伝送する回線制御機能も備えている。
【００２１】
制御機８は、自制御機に接続される各種機器の信号処理や通話路の選択等を行うものであり、患者により呼出操作が行われた子機１ａ、１ｂ、・・・１ｎからの呼び出しを報知させる機器として、親機４ａ、４ｂ、・・・４ｎのうち特定の当該親機、携帯端末５ａ、５ｂ、・・・５ｎのうち特定の当該携帯端末を選択して呼出報知を行うための制御部を構成する第１のメモリ８００及びＣＰＵ８０２と、送信機２ａ、２ｂ、・・・２ｎから送信され、呼出操作が行われた子機１ａ、１ｂ、・・・１ｎの受信部１００にて受信された識別情報をもとに病院従事者を特定し、この呼び出しを報知させる機器として、親機４ａ、４ｂ、・・・４ｎのうち特定の当該親機、携帯端末５ａ、５ｂ、・・・５ｎのうち特定の当該携帯端末を選択して呼出報知を行うための制御部を構成する第２のメモリ８０１及びＣＰＵ８０２とが備えられている。なお、ＣＰＵ８０２は、子機１ａ、１ｂ、・・・１ｎからの呼び出しが報知される携帯端末５ａ、５ｂ、・・・５ｎ毎に無線通信局７にて検出される位置情報を受信するための制御機能を備えており、この位置情報は、適宜、記憶することができる。また、第１、第２の各メモリ８００、８０１は、図示のような個別の構成に限定されるものではなく、例えば、単一の当該メモリとして制御機８に備えることもできる。
【００２２】
このように構成された本発明の実施例によるナースコールシステムにおいて、以下、具体的な動作について説明する。
【００２３】
最初に、本発明の実施例による第１の動作として、複数の病室における各病床の患者が、ナースセンターに居る看護師や携帯端末５ａ、５ｂ、・・・５ｎを携行しながら病院内を巡回中の病院従事者のうち担当の看護師を呼び出すために、例えば、子機１ａの呼出ボタン１０１を操作すると、この子機１ａの受信部１００は、送信機２ａ、２ｂ、・・・２ｎからの無線信号の受信の有無を検出する。ここでは、呼出操作を行った人物が患者であり当該送信機を携行していないため、無線信号は受信せずに自子機が有する子機番号を付加した呼出信号（以下、患者呼出信号という。）を生成する。この患者呼出信号は、子機１ａから子機ラインＬ1、廊下灯３、廊下灯ラインＬ2を経由して制御機８に伝送されるとともに、子機１ａから子機ラインＬ1を経由して他の子機１ｂ、・・・１ｎにそれぞれ伝送される。このとき、廊下灯３は、例えば、呼出元である子機１ａに割り当てられている表示灯（図示せず。）を所定のパターンで点滅又は点灯させることにより、病室の出入口の周囲近傍や廊下先に居る病院従事者に対して呼出報知を行うことができる。なお、子機１ａを除く他の子機１ｂ、・・・１ｎはそれぞれ、伝送されてきた患者呼出信号が制御機８からの出力信号でないため、当該患者呼出信号が無効であると判断する。
【００２４】
制御機８において、ＣＰＵ８０２は、伝送されてきた患者呼出信号に付加されている子機番号をもとに、子機１ａの呼出ボタン１０１を操作した患者からの呼び出し（ナースコール呼び出し）があることを検出し、呼出元である子機１ａからの呼び出しを報知させる呼出相手先の機器を、第１のメモリ８００の記憶内容を参照して検出する。ここでは、呼出元が患者であり、この呼び出しを報知させる当該親機として、例えば、ナースセンターに設置される親機４ａを選択するための親機番号と、同様な呼び出しを報知させる当該携帯端末として、例えば、担当の看護師が携行している携帯端末５ａを選択するための端末番号とをそれぞれ読み出す。また、ＣＰＵ８０２は、前述の子機番号及び親機番号を付加した呼出報知信号（以下、第１の患者呼出報知信号という。）を生成し、親機ラインＬ3を経由して全ての親機４ａ、４ｂ、・・・４ｎにそれぞれ送出するとともに、前述の子機番号及び端末番号を付加した呼出報知信号（以下、第２の患者呼出報知信号という。）を生成し、通信局ラインＬ5、無線通信局７、基地局ラインＬ4を経由して（全ての）無線基地局６ａ、６ｂ、６ｎ、・・・にそれぞれ送出する。
【００２５】
親機４ａ、４ｂ、・・・４ｎはそれぞれ、制御機８から伝送されてきた第１の患者呼出報知信号に付加されている子機番号及び親機番号のうち、親機番号と自親機が有する当該親機番号とを照合し、一致した場合のみ、子機番号に該当する子機１ａからの患者による呼び出しがある旨の呼出報知を、親機表示部４００の使用による呼出メッセージや絵データ等の表示及び親機スピーカ４０１からの呼出音や音声メッセージ等の出力をもとに行うことができる。ここでは、ナースセンターに設置されている親機４ａのみ当該親機番号が一致し、前述の呼出報知が行われる。
【００２６】
無線基地局６ａ、６ｂ、・・・６ｎはそれぞれ、制御機８から伝送されてきた第２の患者呼出報知信号を無線信号に信号処理した後、基地局アンテナ６００から自基地局との間で無線通信が可能な携帯端末５ａ、５ｂ、・・・５ｎの端末アンテナ５００に送信する。
【００２７】
携帯端末５ａ、５ｂ、・・・５ｎはそれぞれ、無線基地局６ａ、６ｂ、・・・６ｎのうち無線通信が可能な少なくとも何れか１の当該基地局の端末アンテナ６００から伝送されてきた第２の患者呼出報知信号を端末アンテナ５００にて受信し、この第２の患者呼出報知信号に付加されている子機番号及び端末番号のうち、端末番号と自携帯端末が有する当該端末番号とを照合し、一致した場合のみ、子機番号に該当する子機１ａからの患者による呼び出しがある旨の呼出報知を、端末表示部５０１の使用による呼出メッセージや絵データ等の表示及び端末スピーカ５０２からの呼出音や音声メッセージ等の出力をもとに行うことができる。ここでは、担当の看護師が携行している携帯端末５ａのみ当該端末番号が一致し、前述の呼出報知が行われる。
【００２８】
なお、親機４ａが設置されているナースセンターに居る看護師及び携帯端末５ａを携行している担当の看護師のうち、最先に応答した看護師、例えば、親機４ａが設置されているナースセンターに居る看護師がハンドセット４０２を取り上げると、この応答操作を検出した廊下灯３及び制御機８（のＣＰＵ８０２）のそれぞれの制御（詳述せず。）により、親機４ａのハンドセット４０２と、親機ラインＬ3、制御機８、廊下灯ラインＬ2、廊下灯３、子機ラインＬ1を経由して呼出元の患者が使用する子機１ａの子機マイク１０２及び子機スピーカ１０３との間の信号伝送路、すなわち、通話路が形成され、形成された通話路を経由して音声信号を送受信させることで通話が成立する。このとき、廊下灯３は、子機１ａに割り当てられている表示灯（図示せず。）を所定のパターンで点滅又は点灯させることにより、子機１ａ及び親機４ａの間で通話が成立されていることを、病室の出入口の周囲近傍や廊下先に居る病院従事者に対して報知することができる。
【００２９】
一方、携帯端末５ａを携行している病院内を巡回中の看護師が通話ボタン５０３を操作すると、この応答操作を検出した廊下灯３、無線通信局７及び制御機８（のＣＰＵ８０２）のそれぞれの制御（詳述せず。）により、携帯端末５ａの端末マイク５０４及び端末スピーカ５０２と、無線基地局６ａ、６ｂ、・・・６ｎのうち無線通信が可能な何れか１の当該無線基地局、基地局ラインＬ4、無線通信局７、通信局ラインＬ5、制御機８、廊下灯ラインＬ2、廊下灯３、子機ラインＬ1を経由して呼出元の患者が使用する子機１ａの子機マイク１０２及び子機スピーカ１０３との間の信号伝送路、すなわち、通話路が形成され、形成された通話路を経由して音声信号を送受信させることで通話が成立する。このとき、廊下灯３は、子機１ａに割り当てられている表示灯（図示せず。）を所定のパターンで点滅又は点灯させることにより、子機１ａ及び携帯端末５ａの間で通話が成立されていることを、病室の出入口の周囲近傍や廊下先に居る病院従事者に対して報知することができる。
【００３０】
次に、本発明の実施例による第２の動作として、送信機２ａ、２ｂ、・・・２ｎを携行している病院従事者のうち、例えば、送信機２ａを携行している病院従事者が、他の病院従事者として詰め所に居る病院従事者や携帯端末５ａ、５ｂ、・・・５ｎを携行しながら病院内を巡回中の病院従事者のうち特定の病院従事者を呼び出すために、例えば、子機１ｂの呼出ボタン１０１を操作すると、この子機１ｂの受信部１００は、送信機２ａからの無線信号の受信の有無を検出する。ここでは、呼出操作を行った人物が病院従事者であり送信機２ａを携行しているため、送信機２ａからの無線信号を受信して、送信機２ａが有する送信機番号、無線信号に付加されている識別情報及び自子機が有する子機番号をそれぞれ付加した呼出信号（以下、病院従事者呼出信号という。）を生成する。この病院従事者呼出信号は、子機１ｂから子機ラインＬ1、廊下灯３、廊下灯ラインＬ2を経由して制御機８に伝送されるとともに、子機１ｂから子機ラインＬ1を経由して他の子機１ａ、・・・１ｎにそれぞれ伝送される。このとき、廊下灯３は、例えば、呼出元である子機１ｂに割り当てられている表示灯（図示せず。）を、所定のパターンで点滅又は点灯させることにより、病室の出入口の周囲近傍や廊下先に居る病院従事者に対して呼出報知を行うことができる。なお、子機１ｂを除く他の子機１ａ、・・・１ｎはそれぞれ、伝送されてきた病院従事者呼出信号が制御機８からの出力信号でないため、当該病院従事者呼出信号が無効であると判断する。
【００３１】
制御機８において、ＣＰＵ８０２は、伝送されてきた病院従事者呼出信号に付加されている送信機番号、識別情報及び子機番号をもとに、子機１ｂの呼出ボタン１０１を操作した送信機２ａを携行している病院従事者からの呼び出しがあることを検出し、呼出元である子機１ｂからの呼び出しを報知させる呼出相手先の機器と病院従事者が誰であるのかの従事者情報とをそれぞれ、第２のメモリ８０１の記憶内容を参照して検出する。ここでは、呼出元が送信機２ａを携行している病院従事者であり、この呼び出しを報知させる当該親機として、例えば、詰め所に設置されている親機４ｂを選択するための親機番号と、同様な呼び出しを報知させる当該携帯端末として、例えば、携帯端末５ｂを選択するための端末番号と、病院従事者が誰であるのかの従事者情報とをそれぞれ読み出す。また、ＣＰＵ８０２は、前述の送信機番号、子機番号、親機番号及び従事者情報を付加した呼出報知信号（以下、第１の病院従事者呼出報知信号という。）を生成し、親機ラインＬ3を経由して全ての親機４ａ、４ｂ、・・・４ｎにそれぞれ送出するとともに、前述の送信機番号、子機番号、端末番号及び従事者情報を付加した呼出報知信号（以下、第２の病院従事者呼出報知信号という。）を、通信局ラインＬ5、無線通信局７、基地局ラインＬ4を経由して（全ての）無線基地局６ａ、６ｂ、６ｎ、・・・にそれぞれ送出する。
【００３２】
親機４ａ、４ｂ、・・・４ｎはそれぞれ、制御機８から伝送されてきた第１の病院従事者呼出報知信号に付加されている送信機番号、子機番号、親機番号及び従事者情報のうち、親機番号と自親機が有する当該親機番号とを照合し、一致した場合のみ、送信機２ａを携行している病院従事者による子機１ｂからの呼び出しがある旨の呼出報知を、病院従事者が誰であるのかの従事者情報とともに、親機表示部４００の使用による呼出メッセージや絵データ等の表示及び親機スピーカ４０１からの呼出音や音声メッセージ等の出力をもとに行うことができる。ここでは、詰め所に設置されている親機４ｂのみ当該親機番号が一致し、前述の呼出報知が行われる。
【００３３】
無線基地局６ａ、６ｂ、・・・６ｎはそれぞれ、制御機８から伝送されてきた第２の病院従事者呼出報知信号を無線信号に信号処理した後、基地局アンテナ６００から自基地局との間で無線通信が可能な携帯端末５ａ、５ｂ、・・・５ｎの端末アンテナ５００に送信する。
【００３４】
携帯端末５ａ、５ｂ、・・・５ｎはそれぞれ、無線基地局６ａ、６ｂ、・・・６ｎのうち無線通信が可能な少なくとも何れか１の当該基地局の端末アンテナ６００から伝送されてきた第２の病院従事者呼出報知信号を端末アンテナ５００にて受信し、この第２の病院従事者呼出報知信号に付加されている送信機番号、子機番号、端末番号及び従事者情報のうち、端末番号と自携帯端末が有する当該端末番号とを照合し、一致した場合のみ、送信機２ａを携行している病院従事者による子機１ｂからの呼び出しがある旨の呼出報知を、病院従事者が誰であるのかの従事者情報とともに、端末表示部５０１の使用による呼出メッセージや絵データ等の表示及び端末スピーカ５０２からの呼出音や音声メッセージ等の出力をもとに行うことができる。ここでは、携帯端末５ｂのみ当該端末番号が一致し、前述の呼出報知が行われる。
【００３５】
なお、親機４ｂが設置されている詰め所に居る病院従事者及び携帯端末５ｂを携行している病院従事者のうち、最先に応答した病院従事者、例えば、親機４ｂが設置されている詰め所に居る病院従事者がハンドセット４０２を取り上げると、この応答操作を検出した廊下灯３及び制御機８（のＣＰＵ８０２）のそれぞれの制御（詳述せず。）により、親機４ｂのハンドセット４０２と、親機ラインＬ3、制御機８、廊下灯ラインＬ2、廊下灯３、子機ラインＬ1を経由して送信機２ａを携行している病院従事者が使用する子機１ｂの子機マイク１０２及び子機スピーカ１０３との間の信号伝送路、すなわち、通話路が形成され、形成された通話路を経由して音声信号を送受信させることで通話が成立する。このとき、廊下灯３は、子機１ｂに割り当てられている表示灯（図示せず。）を所定のパターンで点滅又は点灯させることにより、子機１ｂ及び親機４ｂの間で通話が成立されていることを、病室の出入口の周囲近傍や廊下先に居る病院従事者に対して報知することができる。
【００３６】
一方、携帯端末５ｂを携行している病院内を巡回中の病院従事者が通話ボタン５０３を操作すると、この応答操作を検出した廊下灯３、無線通信局７及び制御機８（のＣＰＵ８０１）のそれぞれの制御（詳述せず。）により、携帯端末５ｂの端末マイク５０４及び端末スピーカ５０２と、無線基地局６ａ、６ｂ、・・・６ｎのうち無線通信が可能な何れか１の当該無線基地局、基地局ラインＬ4、無線通信局７、通信局ラインＬ5、制御機８、廊下灯ラインＬ2、廊下灯３、子機ラインＬ1を経由して呼出元の病院従事者が使用する子機１ｂの子機マイク１０２及び子機スピーカ１０３との間の信号伝送路、すなわち、通話路が形成され、形成された通話路を経由して音声信号を送受信させることで通話が成立する。このとき、廊下灯３は、子機１ｂに割り当てられている表示灯（図示せず。）を所定のパターンで点滅又は点灯させることにより、子機１ｂ及び携帯端末５ｂの間で通話が成立されていることを、病室の出入口の周囲近傍や廊下先に居る病院従事者に対して報知することができる。
【００３７】
なお、本発明の実施例によるナースコールシステムにおいては、子機１ａ、１ｂ、・・・１ｎが有する機能として、受信部１００における送信機２ａ、２ｂ、・・・２ｎからの無線信号の受信の有無を検出し、呼出操作を行った人物が患者であり当該送信機を携行していない場合（第１の動作）には、無線信号は受信せずにナースコール呼び出しとしてナースセンターに設置されている親機４ａにて呼出報知を行う一方、呼出操作を行った人物が病院従事者であり当該送信機を携行している場合（第２の動作）には、無線信号を受信して例えば、詰め所に設置されている親機４ｂにて呼出報知を行うように、無線信号の受信が無い場合であっても呼出報知を行う態様について説明したが、この態様に限定されるものではない。例えば、子機１ａ、１ｂ、・・・１ｎが有する機能として、受信部１００における送信機２ａ、２ｂ、・・・２ｎからの無線信号の受信が無い場合の呼び出しについては当該呼び出しを無効にすることにより、ナースセンターに設置されている親機４ａへの呼出報知の動作は行われないため、子機１ａ、１ｂ、・・・１ｎを病院従事者専用の当該子機として使用することができる。
【００３８】
また、本発明の実施例によるナースコールシステムにおいては、子機１ａ、１ｂ、・・・１ｎからの呼び出しが報知される機器として、親機４ａ、４ｂ、・・・４ｎ及び携帯端末５ａ、５ｂ、・・・５ｎをそれぞれ有する当該システムについて説明したが、この態様に限定されるものではない。例えば、親機４ａ、４ｂ、・・・４ｎ及び携帯端末５ａ、５ｂ、・・・５ｎのうち少なくとも何れか一方の機器を有する当該システムを適用することもできる。
【００３９】
前述までの説明から明らかなように、本発明の実施例によるナースコールシステムによれば、送信機２ａ、２ｂ、・・・２ｎから無線通信で伝送されてくる識別情報の子機１ｂ、１ｂ、・・・１ｎの受信部１００での受信の有無をもとに、子機１ａ、１ｂ、・・・１ｎにて呼出操作を行った人物が患者又は送信機２ａ、２ｂ、・・・２ｎを携行している病院従事者であるのかを制御機８の制御部８０２にて判別するとともに、受信された識別情報をもとに制御部８０１、８０２にて病院従事者を特定し、これらの判別結果に対応させた親機４ａ、４ｂ、・・・４ｎや携帯端末５ａ、５ｂ、・・・５ｎにて呼出報知を行うことができる。これにより、病院従事者は、患者がナースセンターに居る看護師や担当の看護師を呼び出すために使用する子機１ａ、１ｂ、・・・１ｎと同一の当該子機を使用して、詰め所等や他の病院従事者に対して呼び出しを行うことができる。
【００４０】
最後に、本発明のナースコールシステムにおいては、特定の実施の形態をもって説明してきたが、この形態に限定されるものでなく、本発明の効果を奏する限り、これまで知られた如何なる構成のナースコールシステムであっても採用できるということはいうまでもないことである。
【図面の簡単な説明】
【００４１】
【図１】本発明の実施例によるナースコールシステムの構成を示すシステム説明図。
【符号の説明】
【００４２】
１ａ、１ｂ、・・・１ｎ……子機
１００……受信部
２ａ、２ｂ、・・・２ｎ……送信機
４ａ、４ｂ、・・・４ｎ……親機
５ａ、５ｂ、・・・５ｎ……携帯端末
８……制御機
８０１……第２のメモリ（制御部）
８０２……ＣＰＵ（制御部）
【図１】
2009055274.tif 000003